(57)【要約】【課題】  光ディスク装置における情報再生時の（レーザーノイズおよび光路干渉低減のための）高周波重畳において、情報記録密度、または光ディスク表面から記録膜面までの距離の異なる複数種類の光ディスクを同一波長のレーザーを用いて再生する場合、記録膜面上に形成されるレーザースポット径によって重畳される高周波による記録膜面上のエネルギー密度が異なるため、書き換え可能な光ディスクでは該エネルギー密度によっては既記録データを消去する恐れがある。【解決手段】  光ディスク挿入後の初期調整における光ディスク判別、および多層光ディスクの層切り替えにおいて、記録膜面上の再生スポット径に対応して、再生レーザー光に重畳する高周波の振幅、および周波数を切り替える。また、上記光ディスク判別、および多層光ディスクの層切り替えにおいて、判別終了および目標層への引き込み確認完了までは再生レーザー光への高周波重畳を止める。【選択図】  図１０
2010135067.tif 000002
【特許請求の範囲】
【請求項１】
第１の光ディスクと第２の光ディスクを再生する光ディスク装置であって、
所定の波長のレーザー光を照射するレーザーと、
第１のレンズ開口率を有し、前記レーザーから照射される所定の波長のレーザー光を前記第１の光ディスクに集光する第１の対物レンズと、
第２のレンズ開口率を有し、前記レーザーから照射される所定の波長のレーザー光を前記第２の光ディスクに集光する第２の対物レンズと、
装着された光ディスクの種類を判別する光ディスク判別回路と、
前記第１の光ディスクが装着されたときには第１の振幅の高周波を重畳したレーザー駆動電流を前記レーザーに供給し、前記第２の光ディスクが装着されたときには第２の振幅の高周波を重畳したレーザー駆動電流を前記レーザーに供給するレーザードライバと、
を具備することを特徴とする光ディスク装置。
【請求項２】
請求項１に記載の光ディスク装置において、
前記レーザードライバ内部には、
前記第１の振幅の高周波を発生させる第１の高周波電流発生回路と、
前記第２の振幅の高周波を発生させる第２の高周波電流発生回路と、
前記第１の高周波電流発生回路の出力または前記第２の高周波電流発生回路の出力を選択して出力する信号選択回路と、
を具備することを特徴とする光ディスク装置。
【請求項３】
請求項１に記載の光ディスク装置において、
前記レーザードライバ内部には、
発生させる高周波の振幅を外部からの制御信号に基づいて変更することができる高周波電流発生回路を具備することを特徴とする光ディスク装置。
【請求項４】
請求項１に記載の光ディスク装置において、
前記レーザードライバは、
前記光ディスク判別回路が光ディスクの種類を判別しているときには、高周波を重畳しないレーザー駆動電流を前記レーザーに供給し、
前記光ディスク判別回路が光ディスクの種類を判別した後は、高周波を重畳したレーザー駆動電流を前記レーザーに供給することを特徴とする光ディスク装置。
【請求項５】
第１の光ディスクと第２の光ディスクを再生する光ディスク装置であって、
所定の波長のレーザー光を照射するレーザーと、
第１のレンズ開口率を有し、前記レーザーから照射される所定の波長のレーザー光を前記第１の光ディスクに集光する第１の対物レンズと、
第２のレンズ開口率を有し、前記レーザーから照射される所定の波長のレーザー光を前記第２の光ディスクに集光する第２の対物レンズと、
前記第１の対物レンズを介した第１のスポット径のレーザー光を用いて光ディスクを再生するときには第１の振幅の高周波を重畳したレーザー駆動電流を前記レーザーに供給し、前記第２の対物レンズを介して第２のスポット径のレーザー光を用いて光ディスクを再生するときには第２の振幅の高周波を重畳したレーザー駆動電流を前記レーザーに供給するレーザードライバと、
を具備することを特徴とする光ディスク装置。
【請求項６】
請求項５に記載の光ディスク装置において、
前記レーザードライバ内部には、
前記第１の振幅の高周波を発生させる第１の高周波電流発生回路と、
前記第２の振幅の高周波を発生させる第２の高周波電流発生回路と、
前記第１の高周波電流発生回路の出力または前記第２の高周波電流発生回路の出力を選択して出力する信号選択回路と、
を具備することを特徴とする光ディスク装置。
【請求項７】
請求項５に記載の光ディスク装置において、
前記レーザードライバ内部には、
発生させる高周波の振幅を外部からの制御信号に基づいて変更することができる高周波電流発生回路を具備することを特徴とする光ディスク装置。
【請求項８】
第１の光ディスクと第２の光ディスクを再生する光ディスク装置であって、
所定の波長のレーザー光を照射するレーザーと、
第１のレンズ開口率を有し、前記レーザーから照射される所定の波長のレーザー光を前記第１の光ディスクに集光する第１の対物レンズと、
第２のレンズ開口率を有し、前記レーザーから照射される所定の波長のレーザー光を前記第２の光ディスクに集光する第２の対物レンズと、
第１の平均レーザーパワーのレーザー光を用いて光ディスクを再生するときには第１の振幅の高周波を重畳したレーザー駆動電流を前記レーザーに供給し、第２の平均レーザーパワーのレーザー光を用いて光ディスクを再生するときには第２の振幅の高周波を重畳したレーザー駆動電流を前記レーザーに供給するレーザードライバと、
を具備することを特徴とする光ディスク装置。
【請求項９】
請求項８に記載の光ディスク装置において、
前記レーザードライバ内部には、
前記第１の振幅の高周波を発生させる第１の高周波電流発生回路と、
前記第２の振幅の高周波を発生させる第２の高周波電流発生回路と、
前記第１の高周波電流発生回路の出力または前記第２の高周波電流発生回路の出力を選択して出力する信号選択回路と、
を具備することを特徴とする光ディスク装置。
【請求項１０】
請求項８に記載の光ディスク装置において、
前記レーザードライバ内部には、
発生させる高周波の振幅を外部からの制御信号に基づいて変更することができる高周波電流発生回路を具備することを特徴とする光ディスク装置。
【請求項１１】
請求項８に記載の光ディスク装置において、
さらに、前記レーザーから照射されるレーザーパワーを観測するモニタダイオードを具備しており、
前記レーザードライバは、前記モニタダイオードで観測された平均レーザーパワーに基づいて制御されることを特徴とする光ディスク装置。
【請求項１２】
光ディスクの表面から第１の距離の位置に設けられた第１の記録層と、光ディスクの表面から第２の距離の位置に設けられた第２の記録層を再生する光ディスク装置であって、
所定の波長のレーザー光を照射するレーザーと、
第１のレンズ開口率を有し、前記レーザーから照射される所定の波長のレーザー光を前記第１の記録層に集光する第１の対物レンズと、
第２のレンズ開口率を有し、前記レーザーから照射される所定の波長のレーザー光を前記第２の記録層に集光する第２の対物レンズと、
前記第１の記録層を再生するときには第１の振幅の高周波を重畳したレーザー駆動電流を前記レーザーに供給し、前記第２の記録層を再生するときには第２の振幅の高周波を重畳したレーザー駆動電流を前記レーザーに供給するレーザードライバと、
を具備することを特徴とする光ディスク装置。
【請求項１３】
請求項１２に記載の光ディスク装置において、
前記レーザードライバ内部には、
前記第１の振幅の高周波を発生させる第１の高周波電流発生回路と、
前記第２の振幅の高周波を発生させる第２の高周波電流発生回路と、
前記第１の高周波電流発生回路の出力または前記第２の高周波電流発生回路の出力を選択して出力する信号選択回路と、
を具備することを特徴とする光ディスク装置。
【請求項１４】
請求項１２に記載の光ディスク装置において、
前記レーザードライバ内部には、
発生させる高周波の振幅を外部からの制御信号に基づいて変更することができる高周波電流発生回路を具備することを特徴とする光ディスク装置。
【請求項１５】
請求項１２に記載の光ディスク装置において、
前記レーザードライバは、
再生する記録層を切り替えるときには、高周波を重畳しないレーザー駆動電流を前記レーザーに供給し、
前記第１の記録層または第２の記録層を再生するときには、高周波を重畳したレーザー駆動電流を前記レーザーに供給することを特徴とする光ディスク装置。
【請求項１６】
第１の光ディスクと第２の光ディスクを再生する光ディスクの再生方法であって、
前記第１の光ディスクが装着されたときには第１の振幅の高周波を重畳したレーザー駆動電流をレーザーに供給し、前記第２の光ディスクが装着されたときには第２の振幅の高周波を重畳したレーザー駆動電流を前記レーザーに供給することを特徴とする光ディスクの再生方法。
【請求項１７】
第１の光ディスクと第２の光ディスクを再生する光ディスクの再生方法であって、
第１のスポット径のレーザー光を用いて光ディスクを再生するときには第１の振幅の高周波を重畳したレーザー駆動電流をレーザーに供給し、第２のスポット径のレーザー光を用いて光ディスクを再生するときには第２の振幅の高周波を重畳したレーザー駆動電流を前記レーザーに供給することを特徴とする光ディスクの再生方法。
【請求項１８】
第１の光ディスクと第２の光ディスクを再生する光ディスクの再生方法であって、
第１の平均レーザーパワーのレーザー光を用いて光ディスクを再生するときには第１の振幅の高周波を重畳したレーザー駆動電流をレーザーに供給し、第２の平均レーザーパワーのレーザー光を用いて光ディスクを再生するときには第２の振幅の高周波を重畳したレーザー駆動電流を前記レーザーに供給することを特徴とする光ディスクの再生方法。
【請求項１９】
光ディスクの表面から第１の距離の位置に設けられた第１の記録層と、光ディスクの表面から第２の距離の位置に設けられた第２の記録層を再生する光ディスクの再生方法であって、
前記第１の記録層を再生するときには第１の振幅の高周波を重畳したレーザー駆動電流をレーザーに供給し、前記第２の記録層を再生するときには第２の振幅の高周波を重畳したレーザー駆動電流を前記レーザーに供給することを特徴とする光ディスクの再生方法。
【発明の詳細な説明】
【技術分野】
【０００１】
本発明は、光ディスク装置における情報再生時のレーザー波形制御に関する。
【背景技術】
【０００２】
レーザーダイオードから出力されるレーザー光を用いて光ディスクに記録されたマーク／スペース情報を読み取る光ディスク装置では、マーク／スペースの２値化情報を誤りなく判定することが重要である。しかし、レーザー光にはモードホップノイズ、戻り光ノイズなどのノイズが発生するという問題がある。
【０００３】
これらのノイズを軽減するための手法として、特許文献１は高周波重畳と呼ばれる手法を開示する。また、再生時のレーザーパワーを制御する方法として、特許文献２はＡＰＣ（Ａｕｔｏ  Ｐｏｗｅｒ  Ｃｏｎｔｒｏｌ）と呼ばれる手法を開示する。
【先行技術文献】
【特許文献】
【０００４】
【特許文献１】特開２０００−１４９３０２号公報
【特許文献２】特開２００５−２１６３９５号公報
【発明の概要】
【発明が解決しようとする課題】
【０００５】
近年、ＣＤ，ＤＶＤ，Ｂｌｕ−Ｒａｙ  Ｄｉｓｃ（以下「ＢＤ」という），ＨＤ−ＤＶＤなどの規格の異なる光ディスクが市場に投入されている。これらの光ディスクに互換性はないが、ユーザの利便性を考慮し、ＣＤ，ＤＶＤ，ＢＤの記録再生に対応した光ディスク装置、ＣＤ，ＤＶＤ，ＨＤ−ＤＶＤの記録再生に対応した光ディスク装置が登場している。しかし、ＢＤとＨＤ−ＤＶＤの両方の記録再生に対応した光ディスク装置は未だ登場していない。
【０００６】
この理由の一因として考えられるのが、ＢＤ規格に準じた光ディスク（以下「光ディスク１」という）とＨＤ−ＤＶＤ規格に準じた光ディスク（以下「光ディスク２」という）では、図４に示すような規格上の相違点があることが考えられる。この中で特に問題になると考えられるのが、規格が規定するレーザー光の波長（共に４０５ｎｍ）と、レンズ開口率（ＢＤ：０．８５、ＨＤ−ＤＶＤ：０．６５）の関係である。
【０００７】
レーザー光の波長をλ、レンズ開口率をＮＡとすると、光ディスク上でのレーザー光のスポット径は、
（λ／ＮＡ）  …  （式１）
に比例し、レーザー光の光ディスク上でのスポット面積は、
（λ／ＮＡ）２  …  （式２）
に比例ことが知られている。つまり、ＢＤ規格、ＨＤ−ＤＶＤ規格では、光ディスク上でのスポット面積が異なる。ＢＤ規格、ＨＤ−ＤＶＤ規格は、再生レーザーパワー値を０．３ｍＷ、０．５ｍＷと異ならせることで、単位面積あたりのレーザー光のパワーがほぼ等しくなるようにしている。
【０００８】
ここで、レーザー光のノイズを軽減するために重畳する高周波の特性（振幅、周波数）を固定すると、一方の光ディスクに対しては好適な再生ができるが、他方の光ディスクに対しての再生を適切に行うことができないという問題、具体的には、記録済みのデータを破壊してしまうという問題が生じた。
【課題を解決するための手段】
【０００９】
上記の問題は、特許請求の範囲に記載の発明により解決される。
【発明の効果】
【００１０】
本願発明により、再生に用いるレーザー波長が同一で開口率が異なる２種類の光ディスクに対し、情報再生時の光ディスク情報記録面に対して過大レーザーパワー照射による記録データ消去、もしくは情報記録膜の破壊を防止することができる。
【図面の簡単な説明】
【００１１】
【図１】第１の実施例である光ディスク装置の構成図
【図２】第１の実施例におけるレーザードライバの内部構成図
【図３】レーザー光の開口率ＮＡと、光ディスク上に形成されるスポット径Ｒおよびスポット面積Ｓの関係を示す図
【図４】再生レーザー波長が等しく開口率の異なる２種類の光ディスクのパラメータを示す図
【図５】レーザー駆動電流と、該駆動電流によるレーザーの発光パワーの関係を示す図
【図６】第１の実施例における光ディスク２に対するレーザー発光波形の示す模式図
【図７】第１の実施例における光ディスク１に対するレーザー発光波形の示す模式図
【図８】第１の実施例における光ディスク再生処理開始フロー図
【図９】第３の実施例である光ディスク装置の構成図
【図１０】第３の実施例におけるレーザーパワー制御回路およびレーザードライバの内部構成図
【図１１】第３の実施例における光ディスク再生処理開始フロー図
【図１２】第４の実施例における光ディスク再生処理開始フロー図
【図１３】第２の実施例におけるレーザードライバの内部構成図
【発明を実施するための形態】
【００１２】
まず、上述した課題の原因を詳細に検討する。
【００１３】
ＢＤ規格とＨＤ−ＤＶＤ規格の関係のように、レーザー光の波長は同一であるがレンズ開口率が異なる光ディスク規格をそれぞれ光ディスク１、光ディスク２とし、これらのレンズ開口率ＮＡ１、ＮＡ2の関係を  ＮＡ１  ＞  ＮＡ２  とすると、各々の光ディスク上でのレーザー光のスポット面積Ｓ１、Ｓ2、および、再生レーザーパワーＰ１、Ｐ2の関係は次の２式となる。
【００１４】
Ｓ１  ＜  Ｓ２  …  （式３）
Ｐ１  ＜  Ｐ２  …  （式４）
この光ディスク１，２の両方を再生できる光ディスク装置を考える。
【００１５】
（式４）から、この光ディスク装置は、光ディスク１を再生するときと、光ディスク２を再生するときで、再生レーザーパワーを切り替える必要があることが分かる。
【００１６】
このとき、光ディスク２に対して好適な振幅の高周波を書き換え可能な光ディスク１の再生時に重畳すると、単位面積あたりの照射エネルギーが光ディスク１の消去パワーに達し、記録済みのデータが消去される虞がある。つまり、光ディスク２上の大きいスポット面積Ｓ2に対しては問題が生じない高周波振幅設定値であっても、光ディスク１上の小さいスポット面積Ｓ1に対しては問題が生じることがある。
【００１７】
この原因は、再生レーザーパワーＰ１と重畳された高周波のピークパワーが与える単位面積当たりのエネルギーが、光ディスク１用の消去レーザーパワーが与える単位面積あたりのエネルギーと同等となり、記録済みデータを消去してしまうことであると考えられる。これが上述した「他方の光ディスクの記録済みデータを過大レーザーパワー照射により破壊してしまうという問題」の原因と考えられる。
【００１８】
一方、特定のレーザーに着目したとき、レーザーノイズを軽減するために重畳する高周波の最適な振幅及び周波数は、レーザーパワーに依存することを見出した。すなわち、レーザーパワーの値を変えたときに高周波の振幅、周波数を変更することが好ましいことを見出した。
【００１９】
以上から、同じ波長のレーザーを用いる２種類の光ディスク規格であっても、ＮＡが異なるのであれば、すなわち、再生レーザーパワーを変化させる必要があるときには、高周波重畳の特性（振幅、周波数）も変更する必要があることを見出した。
【００２０】
このような課題を解決する実施例として以下詳細に説明を行う。
【００２１】
図１を用いて第１の実施例の光ディスク装置を説明する。レーザー１０８から出射されたレーザー光はコリメートレンズ１０５、対物レンズ１０３を通して、記録媒体１０１の所定半径位置に照射される。レーザー光の反射光はビームスプリッタ１０４を介して集光レンズ１０６で集光され、光電変換素子１０７で電気信号（以下「信号」という）に変換される。得られた信号はＩ／Ｖ変換回路１０９と信号処理回路１１０を経て復調回路１１１でデコードされ、マイコン１１４を経由して上位ホスト１１５に送られる。
【００２２】
光ディスク判別時は、信号処理回路１１０から光ディスク判別に必要な信号（以下「光ディスク判別用信号」という）を光ディスク判別回路１１２に入力する。光ディスク判別用信号とは、光ディスク構造によって信号出力が異なる信号であり、例えばフォーカス誤差信号、トラッキング誤差信号などがある。
【００２３】
光ディスク判別回路１１２から出力される光ディスクの判別結果はデータバス１１６を介してマイコン１１４に入力される。マイコン１１４は光ディスクの判別結果に基づいて、信号処理回路１１０、復調回路１１１、レーザードライバ１１３、スピンドルモータ１０２などを、判別された光ディスクに対して最適となるように制御する。
【００２４】
図２を用いて図１の光ディスク装置におけるレーザードライバ１１３の詳細な構成を示す。２０１はデータバス１１６を介してマイコン１１４から制御される可変電流源である。２０２は第１の高周波電流発生回路（以下「ＯＳＣ１」という）であり、ＯＳＣ１の出力である高周波の振幅と周波数をそれぞれ「ＨＦａｍｐ１」「ＨＦｆｒｅｑ１」とする。２０３は第２の高周波電流発生回路（以下「ＯＳＣ２」という）であり、ＯＳＣ２の出力である高周波の振幅と周波数をそれぞれ「ＨＦａｍｐ２」「ＨＦｆｒｅｑ２」とする。２０４はＯＳＣ１の出力とＯＳＣ２の出力の一方を選択して加算部２０５に出力する信号選択回路であり、データバス１１６を介してマイコン１１４から制御される。２０５は可変電流源２０１と信号選択回路２０４の出力を加算する加算部であり、加算部２０５の出力がレーザードライバ１１３の出力であるレーザー駆動電流出力１１７となる。
【００２５】
図３を用いてレンズ開口率ＮＡと、光ディスク上に形成されるスポット径Ｒ、およびスポット面積Ｓとの関係を説明する。（式１）で説明したように、スポット径Ｒは開口率ＮＡに反比例し、この関係は実線３０１で示される。また、（式２）で説明したように、スポット面積Ｓはレンズ開口率ＮＡの自乗に反比例し、この関係は実線３０２で示される。
【００２６】
図６は、光ディスク２を再生するときの、レーザー発光波形と発光パワー、駆動電流値の関係を示したものである。高周波を重畳していない期間６０１では、レーザーパワーはＰ２、ＤＣレーザー駆動電流はＣ２である。
【００２７】
高周波を重畳している期間６０２では、図２の信号選択回路２０４はＯＳＣ２の出力を選択して出力する。期間６０２の平均レーザーパワーが期間６０１のパワーＰ２と等しくなるには、次の関係を満たすＣ２’を図２の可変電流源２０１に設定する必要がある。
【００２８】
Ｃｐｋ２  ＝  Ｃ２’  ＋  ＨＦａｍｐ２                        …  （式５）
Ｃ２  ＝  Ｃ２’  ＋  （  ＨＦａｍｐ２  ／  ＨＦｆｒｅｑ２）  …  （式６）
図７は、光ディスク１を再生するときの、レーザー発光波形と発光パワー、駆動電流値の関係を示したものである。高周波を重畳していない期間７０１では、レーザーパワーはＰ１、ＤＣレーザー駆動電流はＣ１である。Ｐ１，Ｃ１と図６のＰ２，Ｃ２の関係は、
Ｐ１  ＜  Ｐ２    …  （式７）
Ｃ１  ＜  Ｃ２    …  （式８）である。
【００２９】
光ディスク１と光ディスク２の再生には同じ波長のレーザー、同じ光路長の光ピックアップを使用することから、高周波重畳を実施している期間７０２でも、図２の信号選択回路２０４はＯＳＣ２の出力を選択して出力すると想定する。期間７０２の平均レーザーパワーが期間７０１のパワーＰ１と等しくなるには、次の関係を満たすＣ１ｘを図２の可変電流源２０１に設定する必要がある。
【００３０】
Ｃｐｋ２’  ＝  Ｃ１ｘ  ＋  ＨＦａｍｐ２                      …  （式９）
Ｃ１  ＝  Ｃ１ｘ  ＋  （  ＨＦａｍｐ２  ／  ＨＦｆｒｅｑ２）  …  （式１０）
ここで、図４に示したように、光ディスク１に対する光スポット面積は光ディスク２に対する光スポット面積の約０．６倍であるため、仮に同一レーザーパワーを照射した場合、光ディスク１の単位面積あたりのレーザーパワーは、光ディスク２に比べて１  ／  ０．６  ≒  １．７倍となる。再生レーザーパワーＣ１（０．３ｍＷ）は再生レーザーパワーＣ２（０．５ｍＷ）の約０．６倍に設定されるため、平均再生レーザーパワーＣ１，Ｃ２に着目すれば、単位面積あたりのレーザーパワーはほぼ等しくなる。
【００３１】
しかし、期間７０２で重畳されるＨＦａｍｐ２が単位面積あたりのレーザーパワー増加に与える影響と、期間６０２で重畳されるＨＦａｍｐ２が単位面積あたりのレーザーパワー増加に与える影響とを比較すると、前者の方が大きいため、期間７０２の高周波ピーク部分での単位面積あたりのレーザーパワーが、期間６０２の高周波ピーク部分での単位面積あたりのレーザーパワーよりも大きくなることがある。つまり、ＨＦａｍｐ２の設定値次第では、光ディスク１の記録膜上に過大なレーザーパワーを照射する可能性があり、図７の７０５部分で既記録データの破壊または光ディスク記録膜の劣化を発生させる可能性がある。
【００３２】
このような問題を回避するため、光ディスク１の再生時には、期間７０３のレーザー発光波形と発光パワー、駆動電流値の関係となるように、図２の信号選択回路２０４はＯＳＣ１の出力を選択して出力する。このとき、ＯＳＣ１が出力する「ＨＦａｍｐ１」「ＨＦｆｒｅｑ１」は以下の設定とする。
【００３３】
ＨＦａｍｐ１  ＝  ＨＦａｍｐ２  ×  （Ｐ１  ／  Ｐ２）    …  （式１１）
ＨＦｆｒｑ１  ＝  ＨＦｆｒｑ２                            …  （式１２）
この条件を満たすようにして、平均発光パワーＰ１、平均駆動電流Ｃ１を実現すると、高周波重畳によるレーザー発光波形は図７の期間７０３に示すように図６の期間６０２と相似となり、高周波重畳ピークパワーＰｐｋ１と図６におけるＰｐｋ２の単位面積あたりのレーザーパワーをほぼ同じとすることができる。
【００３４】
図５はレーザー駆動電流と、レーザー駆動電流によるレーザーの発光パワーの関係（以下「Ｉ／Ｌの関係」という）を示す図である。実線５０１は、例えば図６の期間６０３、図７の期間７０４のような、レーザー駆動電流に高周波を重畳していない期間の平均レーザーパワーと平均レーザー駆動電流の関係を示す。また、実線５０２は、例えば図６の期間６０２、図７の期間７０２、期間７０３のような、レーザー駆動電流に高周波を重畳している期間の平均レーザーパワーと平均レーザー駆動電流の関係を示す。さらに、実線５０３は高周波重畳のピークパワー値とそのときのレーザー駆動電流の関係を示す。
【００３５】
期間６０２と期間７０３のように高周波重畳時のレーザー発光波形を相似形とした場合、レーザーパワーが駆動電流に対してリニアに変化する領域では重畳する高周波のピークレーザーパワー平均値などの各パワー値は同一直線上に乗る。よってあらかじめＰｐｋ１、Ｐｐｋ２の各レベルのＩ／Ｌの関係を導出しておき、再生する光ディスクの記録面上のレーザースポット径に応じて各レベルのレーザーパワー、およびレーザー駆動電流値を設定すればよい。
【００３６】
図８に本実施例の処理のフローチャートを示す。光ディスク装置に光ディスクが装着されると（ステップ８０１）、光ディスクの既記録データ破壊防止のために所定の再生位置へ光ピックアップヘッドを移動させ（ステップ８０２）、（式１３）（式１４）（式１５）の光ディスク２用の再生設定を行い（ステップ８０３）、光ディスクが光ディスク２であるかの判断を行なう（ステップ８０４）。このとき、図２の信号選択回路２０４はＯＳＣ２の出力を選択して出力している。
【００３７】
開口率    ＝  ＮＡ２                …  （式１３）
再生パワー  ＝  Ｐ２                …  （式１４）
高周波重畳ピークパワー＝Ｐｐｋ２    …  （式１５）
光ディスク２用の再生設定で光ディスクの種類の判別を行なうのは、光ディスク２に対する光スポット径が光ディスク１に対する光スポット径より大きいため、高周波重畳ピークパワーが同じときでも、光ディスク上の単位面積あたりのレーザーパワーが小さくなり、記録済みデータの破壊を避けることができるからである。
【００３８】
判別ステップ８０４で光ディスクが光ディスク２と判定された場合（ステップ８０５）は、（式５）（式６）の設定でデータの再生処理を開始する（ステップ８０７）。
【００３９】
判別ステップ８０４で光ディスクが光ディスク２でないと判定された場合、つまり、光ディスク１であると判定された場合（ステップ８０６）は、光ディスク１の再生条件である（式９）（式１０）及び、
開口率    ＝  ＮＡ１                …  （式１６）
再生パワー  ＝  Ｐ１                …  （式１７）
高周波重畳ピークパワー＝Ｐｐｋ１    …  （式１８）を設定し、再生処理を開始する（ステップ８０７）。
【００４０】
なお、本実施例では再生するレーザー波長が等しく、再生レーザースポット面積の異なる光ディスクとして、ＢＤ規格に準拠した光ディスク１とＨＤ−ＤＶＤ規格に準拠した光ディスク２を例示したが、同様の関係となる光ディスクについても本発明を適用できることは言うまでもない。
【００４１】
また、本実施例では、光ディスク１の高周波重畳信号の振幅「ＨＦａｍｐ１」を（式１１）で算出したが、１．書き換え可能光ディスクである場合は高周波重畳ピークパワーＰｐｋ１が消去パワー以下２．再生専用、もしくは１回記録光ディスクの場合は高周波重畳ピークパワーＰｐｋ１がデータ記録膜を破壊しないパワーであるＨＦａｍｐ１を設定してもよい。
【００４２】
また、図２では、ＯＳＣ１（２０２）、ＯＳＣ２（２０３）、信号選択回路２０４をレーザードライバ１１３の内部に設けたが、これらの何れかまたは全てをレーザードライバ１１３の外部に設ける構成にしても良い。この構成によれば、レーザードライバの小型化、発熱量の軽減などの効果が得られる。
【００４３】
また、図８のステップ８０２の処理を省略してもよい。これによりディスク判別時間の短縮化を図ることができる。
【００４４】
また、図８のステップ８０３では高周波重畳設定後に光ディスク判別を行っているが、高周波を重畳せずに光ディスク判別を行っても良い。この場合はステップ８０５で再生パワーＰ２と高周波ピークパワーＰｐｋ２を設定すればよい。
【００４５】
次に図１３を用いて、第２の実施例について説明する。本実施例は、第１の実施例の図２がレーザードライバ内部に複数の高周波発生回路（ＯＳＣ１、ＯＳＣ２）を具備する代わりに、高周波の電流振幅、高周波の周波数をレーザードライバの外部から設定可能な高周波発生回路１３０１を具備し、光ディスク判別結果に応じて重畳する高周波の振幅、周波数を変更できる点に特徴を有するものである。なお、本実施例の光ディスク装置の構成は第１の実施例の図１と同様であるため説明を省略する。
【００４６】
図１３は本実施例のレーザードライバ１１３の内部構成を示す図である。第１の実施例の図２と共通する部分２０１、２０５については説明を省略する。高周波発振回路１３０１の内部には高周波の電流振幅を制御する電流振幅制御回路１３０２と高周波の周波数を制御する周波数制御回路１３０３が設けられており、これらはデータバス１１６を介してマイコン１１４により制御される。可変電流源２０１、電流振幅制御回路１３０２の制御値は、光ディスク判別回路１１２で判別された光ディスクの種類に応じて、再生レーザーパワーの平均が、最適再生レーザーパワーとなるように設定される。
【００４７】
例えば、光ディスクが光ディスク１と判定された場合には電流振幅制御部１３０２の設定がＨＦａｍｐ１に設定され、光ディスク２と判定された場合には電流振幅制御部１３０２の設定がＨＦａｍｐ２に設定される。このとき、周波数制御部１３０３の設定をいずれもＨＦｆｒｑ２＝ＨＦｆｒｅｑ１と設定すれば、第１の実施例と同様の効果を得ることもできる。
【００４８】
次に本発明の第３の実施例について説明する。
【００４９】
図９は本発明の第３の実施例である光ディスク装置の構成図である。図１と同等の要素については同じ番号を付し、説明を省略する。９０１はＡＰＣ制御を実施するためにレーザー射出パワーを検出するモニタダイオードであり、モニタダイオードの信号帯域は、再生レーザー光に重畳される高周波に対して十分帯域が低いものとする。モニタダイオード９０１で検出された信号９０２はレーザーパワー制御回路９０３に入力される。レーザーパワー制御回路９０３とレーザードライバ９０５の詳細を図１０に示す。第２の実施例の図１３と同等の要素については同じ番号を付して説明を省略する。
【００５０】
レーザーパワー制御回路９０３では、光ディスク判別回路１１２による光ディスク判別結果にしたがって、マイコン１１４より各光ディスクに対応した再生レーザーパワー目標値が再生パワー目標値発生回路１００１に設定される。この設定値とモニタダイオード出力９０２の差を減算器１００２で算出し差分値９０４を求める。アンプ１００３を介した差分値９０４に基づいて再生レーザー駆動電流が生成される。さらに、高周波電流発生回路１００４では、光ディスク判別回路１１２の出力により高周波振幅制御回路１３０２に設定された振幅値に対して、差分値９０４の出力で制御される可変ゲインアンプ１００５で振幅設定値を制御する。差分値９０４に対する可変ゲインアンプの係数比は、例えば第１の実施例の図５における実線５０２と実線５０３の比とすればよい。これにより、光ディスク装置内部、およびレーザー周辺の温度変化、および経時劣化などによるＩ／Ｌの関係の変化を補正しつつ、光ディスク再生パワーに対応した適切な高周波重畳を実現でき、再生時のデータ誤消去を防止することができる。
【００５１】
図１１に本実施例の処理のフローチャートを示す。光ディスクが装着されると（ステップ１１０１）、再生パワー目標値発生回路１００１の目標値設定を図５のＰ１またはＰ２に設定し、高周波電流発生回路１００４の振幅、周波数設定を第１、光ディスク２に共通の設定、本実施例では青色レーザーに対応した設定とし、図１０のスイッチ１００６をオフすることにより、高周波電流発生回路１００４の出力をオフにする。この状態では再生信号にレーザーノイズが重畳するため信号品質（Ｓ／Ｎ）が劣化するが、光ディスク判別に主に使用されるフォーカス誤差信号、トラッキング誤差信号は信号帯域は数ｋＨｚと十分に低く、低域通過フィルタ（ＬＰＦ）などにより信号品質の改善は比較的容易である。このようにして品質を改善した信号を用いれば、第１の実施例のように高周波重畳を実施した再生波形による光ディスク判別と同程度の性能を有する光ディスク判別は実現可能である。このように高周波重畳を行わないことにより、高周波重畳時のレーザー発光のピークパワーが過大パワーとなった場合の、光ディスクの既記録データの誤消去、および光ディスク記録膜の劣化などを回避することができる。本状態で光ディスク判別を実行（ステップ１１０２）し、光ディスクが光ディスク２と判定された場合（ステップ１１０３でYes）は、図１０の再生パワー目標値発生回路１００１の目標値を光ディスク２の再生パワーＰ２に設定する（１１０５）。光ディスク２ではないと判定されたとき、すなわち、光ディスク１と判定された場合（ステップ１１０３でNo）は、図１０の再生パワー目標値発生回路１００１の目標値を光ディスク１の再生パワーＰ１に設定する（１１０４）。次にスイッチ１００６により高周波電流発生回路１００４の出力をオンにし（ステップ１１０６）、再生処理を開始する（ステップ１１０７）。
【００５２】
図１２に本発明の第４の実施例における処理フローを示す。本実施例の回路構成は第３の実施例と同様であり、説明を省略する。本実施例では、青色レーザーを用いて情報再生を行う多層光ディスクで、再生時の開口率ＮＡが各層で異なる場合を考える。光ディスク装着時（ステップ１２０１）、もしくは光ディスク再生層切り替え時（ステップ１２０２）において、再生しようとする層（以下「ターゲット層」という）の再生準備として・ターゲット層のＮＡ＝ＮＡｔ・ターゲット層の再生パワーＰｔを図１０の再生パワー目標値発生回路１００１の目標値に設定を行う（ステップ１２０３）。このとき、図１０のスイッチ１００６をオフにして、高周波電流発生回路の出力をオフにしておく。次にターゲット層に向けたフォーカス引き込みを行う（ステップ１２０４）。ターゲット層へのフォーカス引き込みが確認できた段階で、前述のスイッチ１００６をオンして高周波電流発生回路の出力をオンにする（ステップ１２０５）。この後、トラッキング引き込みを行い（ステップ１２０６）、再生処理を開始する（ステップ１２０７）。これにより、フォーカス引き込み時に、高周波重畳のピークパワーによるターゲット層以外の層の既記録データ、もしくは記録膜の劣化を防止することができる。
【００５３】
なお、上記の実施例ではいずれも再生時のレーザー駆動信号に高周波信号を重畳する場合を例示したが、記録時にサーボ信号生成などのため再生を行なうとき、また記録中のスペース形成時に再生パワーレベルの発光を行なうときにも上記の実施例で説明した発明を適用できることは言うまでもない。
【００５４】
また、上記実施例ではいずれも再生時のレーザー駆動信号に重畳する高周波信号の特性を切り替えるものであるが、場合によっては高周波信号の出力を停止する、すなわち振幅ゼロの高周波信号としてもよく、図６，７に示した波形に限定されるものではない。
【符号の説明】
【００５５】
１０１  …記録媒体、１０２  …スピンドルモータ、１０３  …対物レンズ、１０４  …ビームスプリッタ、１０５  …コリメータレンズ、１０６  …集光レンズ、１０７  …光電変換素子、１０８…レーザー、１０９…ＩＶ変換素子、１１０…信号処理回路、１１１…変調回路、１１２…光ディスク判別回路、１１３…レーザードライバ、１１４…マイコン、１１５…上位ホスト、１１６…データバス、２０１…可変電流源、２０２，２０３，１００４，１３０１…高周波電流発生回路、２０４…信号選択回路、２０５…加算器、９０１…モニタダイオード、９０３…レーザーパワー制御回路、１００１…再生パワー目標値発生回路、１００２…減算器、１００３，１００５…アンプ、１００６…スイッチ、１３０２…高周波電流振幅制御部、１３０３…高周波電流周波数制御部
【図１】
2010135067.tif 000003
【図２】
2010135067.tif 000004
【図３】
2010135067.tif 000005
【図４】
2010135067.tif 000006
【図５】
2010135067.tif 000007
【図６】
2010135067.tif 000008
【図７】
2010135067.tif 000009
【図８】
2010135067.tif 000010
【図９】
2010135067.tif 000011
【図１０】
2010135067.tif 000012
【図１１】
2010135067.tif 000013
【図１２】
2010135067.tif 000014
【図１３】
2010135067.tif 000015
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
光ディスクの表面から第１の距離の位置に設けられた第１の記録層と、光ディスクの表面から第２の距離の位置に設けられた第２の記録層を再生する光ディスク装置であって、
所定の波長のレーザー光を照射するレーザーと、
第１のレンズ開口率を有し、前記レーザーから照射される所定の波長のレーザー光を前記第１の記録層に集光する第１の対物レンズと、
第２のレンズ開口率を有し、前記レーザーから照射される所定の波長のレーザー光を前記第２の記録層に集光する第２の対物レンズと、
前記第１の記録層を再生するときには第１の振幅及び周波数の高周波を重畳したレーザー駆動電流を前記レーザーに供給し、前記第２の記録層を再生するときには第２の振幅及び周波数の高周波を重畳したレーザー駆動電流を前記レーザーに供給するレーザードライバと、
を具備することを特徴とする光ディスク装置。
【請求項２】
請求項１に記載の光ディスク装置において、
前記レーザードライバ内部には、
前記第１の振幅の高周波を発生させる第１の高周波電流発生回路と、
前記第２の振幅の高周波を発生させる第２の高周波電流発生回路と、
前記第１の高周波電流発生回路の出力または前記第２の高周波電流発生回路の出力を選択して出力する信号選択回路と、
を具備することを特徴とする光ディスク装置。
【請求項３】
請求項１に記載の光ディスク装置において、
前記レーザードライバ内部には、
発生させる高周波の振幅を外部からの制御信号に基づいて変更することができる高周波電流発生回路を具備することを特徴とする光ディスク装置。
【請求項４】
請求項１に記載の光ディスク装置において、
前記レーザードライバは、
再生する記録層を切り替えるときには、高周波を重畳しないレーザー駆動電流を前記レーザーに供給し、
前記第１の記録層または第２の記録層を再生するときには、高周波を重畳したレーザー駆動電流を前記レーザーに供給することを特徴とする光ディスク装置。
【請求項５】
光ディスクの表面から第１の距離の位置に設けられた第１の記録層と、光ディスクの表面から第２の距離の位置に設けられた第２の記録層を再生する光ディスクの再生方法であって、
前記第１の記録層を再生するときには第１の振幅の高周波を重畳したレーザー駆動電流をレーザーに供給し、前記第２の記録層を再生するときには第２の振幅の高周波を重畳したレーザー駆動電流を前記レーザーに供給することを特徴とする光ディスクの再生方法。
【手続補正２】
【補正対象書類名】明細書
【補正対象項目名】００１０
【補正方法】変更
【補正の内容】
【００１０】
本願発明により、開口率が異なる複数の記録層を有する光ディスクに対し、情報再生時の光ディスク情報記録面に対して過大レーザーパワー照射による記録データ消去、もしくは情報記録膜の破壊を低減することができる。